(57)【要約】【課題】個人によって作成された魅力あるコンテンツを、広告主の広告コンテンツとして利用することができる広告課金制御方法等を提供する。【解決手段】広告課金制御サーバは、ＩＤ毎に、課金のための口座情報を蓄積する。公開サーバが、閲覧者用端末から広告コンテンツが閲覧された際に、広告主ＩＤ及び作成者ＩＤを含む広告識別情報を、閲覧者用端末へ送信する。次に、閲覧者用端末が、広告識別情報の内容を含む課金リクエストを、広告課金制御サーバへ送信する。そして、広告課金制御サーバが、課金リクエストに基づいて、広告主ＩＤの口座情報から、作成者ＩＤの口座情報へ、所定の金額情報を転送する。また、広告識別情報は、更に、公開サーバの公開者識別子を更に含んでおり、一部の金額情報を公開者識別子の口座情報へ転送する。【選択図】図２
2008242559.tif 000002
【特許請求の範囲】
【請求項１】
広告コンテンツを公開する公開サーバと、該公開サーバにアクセスし且つ前記広告コンテンツを閲覧する閲覧者用端末と、前記広告コンテンツの閲覧回数に応じて広告課金を制御する広告課金制御サーバとを有するシステムにおける広告課金制御方法であって、
前記広告課金制御サーバは、識別子毎に、課金のための口座情報を蓄積しており、
前記公開サーバが、前記閲覧者用端末から前記広告コンテンツが閲覧された際に、広告主識別子及び作成者識別子を含む広告識別情報を、前記閲覧者用端末へ送信する第１のステップと、
前記閲覧者用端末が、前記広告識別情報の内容を含む第１のリクエストを、前記広告課金制御サーバへ送信する第２のステップと、
前記広告課金制御サーバが、第１のリクエストに基づいて、前記広告主識別子の口座情報から、前記作成者識別子の口座情報へ、所定の金額情報を転送する第３のステップと
を有することを特徴とする広告課金制御方法。
【請求項２】
第１のステップについて、前記広告識別情報は、更に、前記公開サーバの公開者識別子を更に含んでおり、
第３のステップについて、前記広告主識別子の口座情報から取得した金額情報について、一部の金額情報を前記作成者識別子の口座情報へ転送し、他の金額情報を前記公開者識別子の口座情報へ転送する
ことを特徴とする請求項１に記載の広告課金制御方法。
【請求項３】
前記広告識別情報は、前記広告課金制御サーバのアドレスに従属して記述されたタグ情報であることを特徴とする請求項１又は２に記載の広告課金制御方法。
【請求項４】
前記広告コンテンツは、広告主を識別する広告主ロゴ画像情報と、コンテンツ作成者によって作成されたコンテンツ画像情報とから構成されており、
前記広告主ロゴ画像情報に、前記広告主識別子が含まれており、
前記コンテンツ画像情報に、前記作成者識別子が含まれている
ことを特徴とする請求項１から３のいずれか１項に記載の広告課金制御方法。
【請求項５】
前記システムは、前記広告コンテンツを公開する広告主サーバを更に有しており、
第１のステップについて、前記公開サーバが、更に、前記閲覧者用端末から前記広告コンテンツが閲覧された際に、少なくとも前記広告主サーバのアドレスを含む公開識別情報を、前記閲覧者用端末へ送信し、
第２のステップについて、前記閲覧者用端末が、更に、前記公開識別情報の内容を含む第２のリクエストを、前記広告主サーバへ送信する
ことを特徴とする請求項１から４のいずれか１項に記載の広告課金制御方法。
【請求項６】
前記システムは、コンテンツ作成者が用いる作成者用端末を更に含み、
第１のステップの前段階について、
前記広告主サーバが、前記広告主ロゴ画像情報を公開するステップと、
前記作成者用端末が、前記広告主サーバへアクセスし且つ前記広告主ロゴ画像情報を取得するステップと、
前記作成者用端末が、前記広告主ロゴ画像情報と前記コンテンツ画像情報とからなる前記広告コンテンツを、前記広告主サーバへ送信するステップと、
前記広告主サーバが、前記公開サーバへ前記広告コンテンツを送信するステップと
を更に有することを特徴とする請求項５に記載の広告課金制御方法。
【請求項７】
広告コンテンツを公開する公開サーバと、該公開サーバにアクセスし且つ前記広告コンテンツを閲覧する閲覧者用端末とにネットワークを介して接続された、前記広告コンテンツの閲覧回数に応じて広告課金を制御する広告課金制御サーバであって、
識別子毎に、課金のための口座情報を蓄積する口座情報蓄積手段と、
前記公開サーバの前記広告コンテンツを閲覧した前記閲覧者用端末から、広告主識別子及び作成者識別子を含む第１のリクエストを受信する課金リクエスト受信手段と、
第１のリクエストに基づいて、前記広告主識別子の口座情報から、前記作成者識別子の口座情報へ、所定の金額情報を転送する広告課金制御手段と
を有することを特徴とする広告課金制御サーバ。
【請求項８】
前記公開サーバから受信する第１のリクエストには、更に、前記公開サーバの公開者識別子が含まれており、
前記広告課金制御手段は、前記広告主識別子の口座情報から取得した金額情報について、一部の金額情報を前記作成者識別子の口座情報へ転送し、他の金額情報を前記公開者識別子の口座情報へ転送する
ことを特徴とする請求項７に記載の広告課金制御サーバ。
【請求項９】
前記広告コンテンツは、広告主を識別する広告主ロゴ画像情報と、コンテンツ作成者によって作成されたコンテンツ画像情報とから構成されており、
前記広告主ロゴ画像情報に、前記広告主識別子が含まれており、
前記コンテンツ画像情報に、前記作成者識別子が含まれている
ことを特徴とする請求項７又は８に記載の広告課金制御サーバ。
【請求項１０】
請求項７から９のいずれか１項に記載の広告課金制御サーバと、広告主サーバと、コンテンツ作成者が用いる作成者用端末とが、ネットワークを介して接続された広告課金システムであって、
前記広告主サーバが、前記広告主ロゴ画像情報を公開する広告主ロゴ公開手段と、前記作成者用端末から受信した前記広告コンテンツを、前記公開サーバへ送信する広告コンテンツ送信手段とを有し、
前記作成者用端末が、前記広告主サーバへアクセスし且つ前記広告主ロゴ画像情報を取得する広告主ロゴ取得手段と、前記広告主ロゴ画像情報と前記コンテンツ画像情報とからなる前記広告コンテンツを、前記広告主サーバへ送信する広告コンテンツ送信手段とを有することを特徴とする広告課金システム。
【請求項１１】
広告コンテンツを公開する公開サーバと、該公開サーバにアクセスし且つ前記広告コンテンツを閲覧する閲覧者用端末とにネットワークを介して接続された、前記広告コンテンツの閲覧回数に応じて広告課金を制御するサーバに搭載されたコンピュータを機能させる広告課金制御プログラムであって、
識別子毎に、課金のための口座情報を蓄積する口座情報蓄積手段と、
前記公開サーバの前記広告コンテンツを閲覧した前記閲覧者用端末から、広告主識別子及び作成者識別子を含む第１のリクエストを受信する課金リクエスト受信手段と、
第１のリクエストに基づいて、前記広告主識別子の口座情報から、前記作成者識別子の口座情報へ、所定の金額情報を転送する広告課金制御手段と
してコンピュータを機能させることを特徴とする広告課金制御プログラム。
【請求項１２】
前記公開サーバから受信する第１のリクエストには、更に、前記公開サーバの公開者識別子が含まれており、
前記広告課金制御手段は、前記広告主識別子の口座情報から取得した金額情報について、一部の金額情報を前記作成者識別子の口座情報へ転送し、他の金額情報を前記公開者識別子の口座情報へ転送する
ようにコンピュータを機能させることを特徴とする請求項１１に記載の広告課金制御プログラム。
【請求項１３】
前記広告コンテンツは、広告主を識別する広告主ロゴ画像情報と、コンテンツ作成者によって作成されたコンテンツ画像情報とから構成されており、
前記広告主ロゴ画像情報に、前記広告主識別子が含まれており、
前記コンテンツ画像情報に、前記作成者識別子が含まれている
ようにコンピュータを機能させることを特徴とする請求項１１又は１２に記載の広告課金制御プログラム。
【発明の詳細な説明】
【技術分野】
【０００１】
本発明は、広告コンテンツの閲覧に応じて課金する広告課金制御方法、サーバ及びプログラムに関する。
【背景技術】
【０００２】
インターネットの発展に伴って、Ｗｅｂサイト又はメールマガジンは、企業にとって重要な広告媒体となってきている。企業は、より多くの閲覧者に対して、自社の広告コンテンツを視聴させたいと考えている。特に、ポータルサイトのようなＷｅｂサイトは、様々なリンクを張ることによって、広告媒体として機能する。
【０００３】
ポータルサイトのような閲覧者の多いＷｅｂサイトは、一定の報酬を条件に、企業サイトのリンクを張るサービスを提供する。一方で、企業は、ポータルサイトに自社サイトへのリンクを張ることによって、多くの閲覧者を自社サイトへ呼び込むことができる。
【０００４】
図１は、従来技術におけるシステム構成図である。
【０００５】
広告主（例えばＫＷ社）が、自社の広告コンテンツを公開しようとしている。図１によれば、広告主の端末５と、公開サーバ４と、閲覧者の端末３とが、インターネットに接続されている。
【０００６】
（Ｓ１０１）広告主ＫＷ社は、自社の広告コンテンツを予め作成する。広告コンテンツは、静止画像又は動画像であって、広告主ロゴ画像情報が含まれている。例えば、ＫＷ社のロゴ画像（例えば商標、又は、識別力を有するシンボルマーク）が、その広告コンテンツに含まれている。閲覧者は、広告コンテンツに含まれるロゴ画像を見ることによって、その広告コンテンツの広告主ＫＷ社を認識する。
【０００７】
（Ｓ１０２）広告主ＫＷ社は、端末５を用いて、公開サーバ４へ広告コンテンツをアップロードする。ポータルサイトのような公開サーバ４が、その広告コンテンツを公開することよって、広告主ＫＷ社は、より多くの閲覧者がその広告コンテンツを閲覧することを期待する。
【０００８】
（Ｓ１０３）公開サーバ４は、広告主ＫＷ社の広告コンテンツを公開する。
【０００９】
（Ｓ１０４）インターネットに接続された端末は、公開サーバ４に公開されたＫＷ社の広告コンテンツを自由に閲覧することができる。図１によれば、閲覧者Ｆが、端末３を用いて、公開サーバ４にアクセスして、ＫＷ社の広告コンテンツを閲覧している。
【００１０】
公開サーバ４の公開者は、１人の閲覧者Ｆによってその広告コンテンツが閲覧された際に、広告主ＫＷ社に対して、１アクセスに対する課金をする（例えば非特許文献１参照）。図１によれば、公開サーバの公開者Ｂは、広告主ＫＷ社へ、その広告コンテンツに対するアクセス回数を通知する。これに対し、広告主ＫＷ社が、このアクセス数に応じた報酬を、公開サーバ４の公開者Ｂへ支払う。これにより、公開者Ｂは、公開サーバ４の運用事業を継続することができる。
【００１１】
【非特許文献１】グーグル、「Ｇｏｏｇｌｅであなたの商品をアピールしませんか？」、[online]、[平成１９年３月３日検索]、インターネット＜ＵＲＬ：https://adwords.google.com/select/Login＞
【発明の開示】
【発明が解決しようとする課題】
【００１２】
広告主としては、自社の広告コンテンツに対する閲覧数（集客力）を向上させるためにも、閲覧者に興味のある広告コンテンツを作成する必要がある。しかしながら、多大なコストをかけて作成した広告コンテンツであっても、全ての閲覧者の興味を引くような広告コンテンツを作成することは難しい。
【００１３】
一方で、コンテンツメディア技術の発展に伴って、個人であっても、魅力あるコンテンツを作成することができる。しかしながら、コンテンツ作成能力の高い個人であっても、作成したコンテンツが、広告用に採用され且つ収入を得ることは容易でない。
【００１４】
そこで、本発明は、個人によって作成された魅力あるコンテンツを、広告主の広告コンテンツとして利用することができる広告課金制御方法、サーバ及びプログラムを提供することを目的とする。
【課題を解決するための手段】
【００１５】
本発明によれば、広告コンテンツを公開する公開サーバと、該公開サーバにアクセスし且つ広告コンテンツを閲覧する閲覧者用端末と、広告コンテンツの閲覧回数に応じて広告課金を制御する広告課金制御サーバとを有するシステムにおける広告課金制御方法であって、
広告課金制御サーバは、識別子毎に、課金のための口座情報を蓄積しており、
公開サーバが、閲覧者用端末から広告コンテンツが閲覧された際に、広告主識別子及び作成者識別子を含む広告識別情報を、閲覧者用端末へ送信する第１のステップと、
閲覧者用端末が、広告識別情報の内容を含む第１のリクエストを、広告課金制御サーバへ送信する第２のステップと、
広告課金制御サーバが、第１のリクエストに基づいて、広告主識別子の口座情報から、作成者識別子の口座情報へ、所定の金額情報を転送する第３のステップと
を有することを特徴とする。
【００１６】
本発明の広告課金制御方法における他の実施形態によれば、
第１のステップについて、広告識別情報は、更に、公開サーバの公開者識別子を更に含んでおり、
第３のステップについて、広告主識別子の口座情報から取得した金額情報について、一部の金額情報を作成者識別子の口座情報へ転送し、他の金額情報を公開者識別子の口座情報へ転送する
ことも好ましい。
【００１７】
本発明の広告課金制御方法における他の実施形態によれば、
広告識別情報は、広告課金制御サーバのアドレスに従属して記述されたタグ情報であることも好ましい。
【００１８】
本発明の広告課金制御方法における他の実施形態によれば、
広告コンテンツは、広告主を識別する広告主ロゴ画像情報と、コンテンツ作成者によって作成されたコンテンツ画像情報とから構成されており、
広告主ロゴ画像情報に、広告主識別子が含まれており、
コンテンツ画像情報に、作成者識別子が含まれている
ことも好ましい。
【００１９】
本発明の広告課金制御方法における他の実施形態によれば、
システムは、広告コンテンツを公開する広告主サーバを更に有しており、
第１のステップについて、公開サーバが、更に、閲覧者用端末から広告コンテンツが閲覧された際に、少なくとも広告主サーバのアドレスを含む公開識別情報を、閲覧者用端末へ送信し、
第２のステップについて、閲覧者用端末が、更に、公開識別情報の内容を含む第２のリクエストを、広告主サーバへ送信する
ことも好ましい。
【００２０】
本発明の広告課金制御方法における他の実施形態によれば、
システムは、コンテンツ作成者が用いる作成者用端末を更に含み、
第１のステップの前段階について、
広告主サーバが、広告主ロゴ画像情報を公開するステップと、
作成者用端末が、広告主サーバへアクセスし且つ広告主ロゴ画像情報を取得するステップと、
作成者用端末が、広告主ロゴ画像情報とコンテンツ画像情報とからなる広告コンテンツを、広告主サーバへ送信するステップと、
広告主サーバが、公開サーバへ広告コンテンツを送信するステップと
を更に有することも好ましい。
【００２１】
本発明によれば、広告コンテンツを公開する公開サーバと、該公開サーバにアクセスし且つ広告コンテンツを閲覧する閲覧者用端末とにネットワークを介して接続された、広告コンテンツの閲覧回数に応じて広告課金を制御する広告課金制御サーバであって、
識別子毎に、課金のための口座情報を蓄積する口座情報蓄積手段と、
公開サーバの広告コンテンツを閲覧した閲覧者用端末から、広告主識別子及び作成者識別子を含む第１のリクエストを受信する課金リクエスト受信手段と、
第１のリクエストに基づいて、広告主識別子の口座情報から、作成者識別子の口座情報へ、所定の金額情報を転送する広告課金制御手段と
を有することを特徴とする。
【００２２】
本発明の広告課金制御サーバにおける他の実施形態によれば、
公開サーバから受信する第１のリクエストには、更に、公開サーバの公開者識別子が含まれており、
広告課金制御手段は、広告主識別子の口座情報から取得した金額情報について、一部の金額情報を作成者識別子の口座情報へ転送し、他の金額情報を公開者識別子の口座情報へ転送する
ことも好ましい。
【００２３】
本発明の広告課金制御サーバにおける他の実施形態によれば、
広告コンテンツは、広告主を識別する広告主ロゴ画像情報と、コンテンツ作成者によって作成されたコンテンツ画像情報とから構成されており、
広告主ロゴ画像情報に、広告主識別子が含まれており、
コンテンツ画像情報に、作成者識別子が含まれている
ことも好ましい。
【００２４】
本発明によれば、前述の広告課金制御サーバと、広告主サーバと、コンテンツ作成者が用いる作成者用端末とが、ネットワークを介して接続された広告課金システムであって、
広告主サーバが、広告主ロゴ画像情報を公開する広告主ロゴ公開手段と、作成者用端末から受信した広告コンテンツを、公開サーバへ送信する広告コンテンツ送信手段とを有し、
作成者用端末が、広告主サーバへアクセスし且つ広告主ロゴ画像情報を取得する広告主ロゴ取得手段と、広告主ロゴ画像情報とコンテンツ画像情報とからなる広告コンテンツを、広告主サーバへ送信する広告コンテンツ送信手段とを有することを特徴とする。
【００２５】
本発明によれば、広告コンテンツを公開する公開サーバと、該公開サーバにアクセスし且つ広告コンテンツを閲覧する閲覧者用端末とにネットワークを介して接続された、広告コンテンツの閲覧回数に応じて広告課金を制御するサーバに搭載されたコンピュータを機能させる広告課金制御プログラムであって、
識別子毎に、課金のための口座情報を蓄積する口座情報蓄積手段と、
公開サーバの広告コンテンツを閲覧した閲覧者用端末から、広告主識別子及び作成者識別子を含む第１のリクエストを受信する課金リクエスト受信手段と、
第１のリクエストに基づいて、広告主識別子の口座情報から、作成者識別子の口座情報へ、所定の金額情報を転送する広告課金制御手段と
してコンピュータを機能させることを特徴とする。
【００２６】
本発明の広告課金制御プログラムにおける他の実施形態によれば、
公開サーバから受信する第１のリクエストには、更に、公開サーバの公開者識別子が含まれており、
広告課金制御手段は、広告主識別子の口座情報から取得した金額情報について、一部の金額情報を作成者識別子の口座情報へ転送し、他の金額情報を公開者識別子の口座情報へ転送する
ようにコンピュータを機能させることも好ましい。
【００２７】
本発明の広告課金制御プログラムにおける他の実施形態によれば、
広告コンテンツは、広告主を識別する広告主ロゴ画像情報と、コンテンツ作成者によって作成されたコンテンツ画像情報とから構成されており、
広告主ロゴ画像情報に、広告主識別子が含まれており、
コンテンツ画像情報に、作成者識別子が含まれている
ようにコンピュータを機能させることも好ましい。
【発明の効果】
【００２８】
本発明の広告課金制御方法、サーバ及びプログラムによれば、個人によって作成された魅力あるコンテンツを、広告主の広告コンテンツとして利用することができる。一方で、個人にとっては、魅力ある広告コンテンツを作成することによって、アクセス数に応じて報酬を得ることもできる。
【発明を実施するための最良の形態】
【００２９】
以下では、図面を用いて、本発明を実施するための最良の形態について詳細に説明する。
【００３０】
図２は、本発明における第１のシステム構成図である。
【００３１】
図２によれば、図１と同様に、広告主ＫＷ社が、ＫＷ社用の広告コンテンツを公開しようとしている。広告主ＫＷ社は、広告主サーバ６をインターネットに接続している。広告主サーバ６は、広告用の素材となる広告ロゴ画像情報を提供する。図２によれば、広告主サーバ６は、ＫＷ社の広告ロゴ画像情報［ＫＷ］（例えば商標、又は、識別力を有するシンボルマーク）を提供する。広告ロゴ画像情報は、静止画像又は動画像である。また、広告ロゴ画像情報には、広告主ＫＷ社を特定する広告主ＩＤ(識別子:IDentifier)が含まれてもよい。
【００３２】
また、広告コンテンツ作成者Ｓの所持する端末２が、インターネットに接続されている。広告コンテンツ作成者Ｓは、ＫＷ社の広告コンテンツを作成し、そのアクセス数に応じた報酬を得ようとする者である。
【００３３】
更に、広告課金制御サーバ１が、インターネットに接続されている。広告課金制御サーバ１は、例えば銀行のような口座情報に対して入出金の制御をすることができる。広告課金制御サーバ１は、広告コンテンツが閲覧される毎（又は一定単位毎）に、広告主の口座情報から、広告コンテンツの作成者の口座情報へ、所定の金額情報を転送することができる。
【００３４】
（Ｓ２０１）広告コンテンツ作成者Ｓの端末２は、広告主サーバ６へアクセスし、ＫＷ社の広告ログ画像情報を受信する。
【００３５】
（Ｓ２０２）広告コンテンツ作成者Ｓは、端末２を用いて、ＫＷ社の広告ログ画像情報を含む広告コンテンツを作成する。このとき、広告コンテンツには、広告コンテンツ作成者Ｓを特定する作成者ＩＤも含められる。
【００３６】
（Ｓ２０３）広告コンテンツ作成者Ｓの端末２は、作成した広告コンテンツを広告主サーバ６へ送信する。広告主サーバ６は、作成された広告コンテンツが、公開するに正当なものか否かを判定することもできる。例えば他人の著作権を不当に侵害していないかどうかも判定する必要がある。
【００３７】
広告コンテンツには、広告識別情報が含まれる。広告識別情報には、以下の４つの情報が含まれる。
（１）広告主ＩＤ（広告ロゴ画像情報に含まれていてもよい）
（２）作成者ＩＤ（広告コンテンツに含まれていてもよい）
（３）コンテンツＩＤ
（４）広告単価（１回の閲覧によって支払われる報酬金額）
【００３８】
（Ｓ２０４）広告主サーバ６は、公開するに正当と判定された広告コンテンツを、公開サーバ４へアップロードする。例えば、図２の場合、広告コンテンツ自体が、公開サーバ４に蓄積される。
【００３９】
（Ｓ２０５）公開サーバ４は、広告主サーバ６から受信した広告コンテンツを公開する。これにより、インターネットに接続された端末からの閲覧が可能となる。このとき、広告コンテンツには、課金リクエスト用のタグがリンクされている。課金リクエスト用のタグは、広告課金制御サーバ１を特定するアドレス（例えばＵＲＬ）と共に、広告識別情報を含む。
【００４０】
（Ｓ２０６）図２によれば、閲覧者Ｆが、公開サーバ４の広告コンテンツを閲覧したとする。例えば、閲覧者Ｆは、公開サーバ４のホームページに表示された広告コンテンツの中から興味のある広告コンテンツを自由に閲覧することができる。ここで、ＫＷ社の広告コンテンツを、閲覧者Ｆが、端末３を用いて閲覧したとする。このとき、閲覧者Ｆの端末３は、課金リクエスト用のタグ情報も受信する。
【００４１】
（Ｓ２０７）閲覧者Ｆの端末３は、広告コンテンツを閲覧した際に、課金リクエスト用のタグ情報に従って、課金リクエストを広告課金制御サーバ１へ送信する。課金リクエストには、少なくとも広告識別情報が含まれる。また、課金リクエストに、公開者ＩＤが含まれていてもよい。公開者ＩＤは、例えば公開サーバ４のＵＲＬ(Uniform Resource Locator)であってもよい。図２によれば、公開者ＩＤは、公開者Ｂを特定する。
【００４２】
（Ｓ２０８）広告課金制御サーバ１は、各ＩＤに対応する口座情報を予め蓄積している。「口座情報」は、銀行の口座に対して現金の入金及び出金を可能とする情報であって、例えば口座番号であってもよい。尚、口座情報に対して入出力される情報を「現金情報」という。現金情報は、円、ドル、ユーロのような実際の通貨の単位であってもよいし、商取引可能であって仮想のポイントのような単位であってもよい。
【００４３】
広告課金制御サーバ１は、課金リクエストから、広告識別情報（広告主ＩＤ、作成者ＩＤ、コンテンツＩＤ、広告単価）と、公開者ＩＤとを取得する。広告課金制御サーバ１は、「広告主ＩＤ」の口座情報から、一定の現金情報を出金する操作をし、その現金情報を、少なくとも「作成者ＩＤ」の口座情報へ入金する。この操作は、広告主の広告コンテンツが、ある閲覧者によって閲覧された際に、その広告主が、その広告コンテンツの作成者へ、一定の報酬を支払うことを意味する。即ち、図２によれば、ＫＷ社の広告コンテンツが、閲覧者Ｆによって閲覧された際に、ＫＷ社が、その広告コンテンツの作成者Ｓへ、一定の現金を支払う。
【００４４】
また、広告課金制御サーバ１は、「広告主ＩＤ」の口座情報から、一定の現金情報を出金する操作をし、その現金情報を、「公開者ＩＤ」の口座情報へ入金することもできる。この操作は、広告主の広告コンテンツが、ある閲覧者によって閲覧された際に、その広告主が、その広告コンテンツの公開者へ、一定の報酬を支払うことを意味する。即ち、図２によれば、ＫＷ社の広告コンテンツが、閲覧者Ｆによって閲覧された際に、ＫＷ社が、その広告コンテンツを公開した公開サーバ４の公開者Ｂへ、一定の報酬を支払う。
【００４５】
図３は、本発明における第２のシステム構成図である。
【００４６】
図２は、公開サーバ４が広告コンテンツを蓄積している場合であり、図３は、公開サーバ４は広告コンテンツを蓄積せず、広告主サーバ６がその広告コンテンツを蓄積している場合である。以下では、図３について、図２と比較して相違する点のみを説明する。
【００４７】
（Ｓ２０６）図２によれば、広告コンテンツは公開サーバ４に蓄積されているのに対し、図３によれば、広告コンテンツは広告主サーバ６に蓄積されている。従って、閲覧者Ｆの端末３が、公開サーバ４へアクセスした際に、端末３は、広告コンテンツリクエスト用のタグ情報と、課金リクエスト用のタグ情報とを受信する。
【００４８】
（Ｓ２０８）閲覧者Ｆの端末３は、更に、広告コンテンツリクエスト用のタグ情報に従って、広告コンテンツリクエストを広告主サーバ６へ送信する。広告コンテンツ用のリクエストを受信した広告主サーバ６は、広告コンテンツを端末３へ送信する。
【００４９】
ここで、広告単価について説明する。広告単価とは、閲覧者用端末からその広告コンテンツにアクセスされる毎に、広告主が、作成者及び／又は公開者に支払う報酬である。広告単価は、例えば優良な広告コンテンツ（人気が高い）には、比較的高い広告単価が設定されることも好ましい。広告主サーバ又は公開サーバによって、その広告コンテンツを公開し、閲覧者の評価又はアクセス数によって広告単価が決定されるものであってもよい。
【００５０】
図４は、本発明におけるタグ情報の記述例である。
【００５１】
図４によれば、課金リクエスト用のタグ情報と、広告コンテンツ用のタグ情報とを有する。課金リクエスト用のタグ情報には、広告課金制御サーバのＵＲＬに従属して、広告識別情報及び公開者ＩＤが含まれる。広告識別情報には、コンテンツＩＤ、広告主ＩＤ及び作成者ＩＤが含まれる。更に、広告単価が含まれてもよい。
【００５２】
広告コンテンツリクエスト用のタグ情報には、Ｗｅｂサーバ（公開サーバ）のＵＲＬが含まれる。尚、広告識別情報及び公開者ＩＤが従属していてもよい。これにより、広告主サーバ６においても、端末３からの閲覧情報を得ることができる。勿論、広告単価が含まれてもよい。
【００５３】
図５は、本発明における広告課金制御サーバの機能構成図である。
【００５４】
図５によれば、広告課金制御サーバ１は、口座情報蓄積部１０１と、課金リクエスト受信部１０２と、広告課金制御部１０３とを有する。これら機能部は、サーバに搭載されたコンピュータを機能させるプログラムを実行することによっても実現できる。
【００５５】
口座情報蓄積部１０１は、ＩＤ毎に、課金のための口座情報を蓄積する。
【００５６】
課金リクエスト受信部１０２は、公開サーバ４を閲覧した端末３から、広告識別情報を含む課金リクエストを受信する。広告識別情報は、少なくとも広告主ＩＤ及び作成者ＩＤを含む。課金リクエストには、公開サーバの公開者ＩＤが含まれていてもよい。
【００５７】
広告課金制御部１０３は、口座情報蓄積部１０１を用いて、広告主ＩＤの口座情報から、作成者ＩＤの口座情報へ、所定の金額情報を転送する。ここで、広告主ＩＤの口座情報から取得した金額情報について、一部の金額情報を作成者ＩＤの口座情報へ転送し、他の金額情報を公開者ＩＤの口座情報へ転送するものであってもよい。
【００５８】
図６は、広告コンテンツがブログによって公開された場合のシステム構成図である。
【００５９】
（Ｓ２０９）閲覧者Ｆは、端末３を用いて、ブログ公開サーバ７の自らのブログに、広告主ＫＷ社の広告コンテンツに関する広告コンテンツリクエスト用のタグ情報と、課金リクエスト用のタグ情報とを記載したとする。
【００６０】
（Ｓ２１０）閲覧者Ｒが、ブログ公開サーバ７における閲覧者Ｆのブログの広告コンテンツを閲覧したとする。これにより、広告主ＫＷ社の広告コンテンツに関する広告コンテンツリクエスト用のタグ情報と、課金リクエスト用のタグ情報とが、閲覧者Ｒの端末３によって受信される。
【００６１】
（Ｓ２１１）閲覧者Ｒの端末３は、課金リクエストを、広告課金制御サーバ１へ送信する。課金リクエストには、広告識別情報及び公開者ＩＤが含まれる。ここで、公開者ＩＤは、ブログオーナとして公開者となった閲覧者Ｆを特定する。
【００６２】
（Ｓ２１２）広告課金制御サーバ１は、「広告主ＩＤ」の口座情報から、一定の現金情報を出金する操作をし、その現金情報を、「作成者ＩＤ」の口座情報と「公開者ＩＤ」の口座情報とへ入金することもできる。この操作は、広告主の広告コンテンツが、ある閲覧者によって閲覧された際に、その広告主が、その広告コンテンツの作成者及び公開者へ、一定の報酬を支払うことを意味する。即ち、図６によれば、ＫＷ社の広告コンテンツが、閲覧者Ｒによって閲覧された際に、ＫＷ社が、その広告コンテンツを作成した作成者Ｓと、その広告コンテンツを公開した閲覧者Ｆとへ、一定の報酬を支払う。
【００６３】
（Ｓ２１３）更に、閲覧者Ｒの端末３は、広告コンテンツリクエストを、広告主サーバ６へ送信する。これに対し、広告主サーバ６は、広告主ＫＷ社の広告コンテンツを、端末３へ送信する。
【００６４】
以上、詳細に説明したように、本発明の広告課金制御方法、サーバ及びプログラムによれば、個人によって作成された魅力あるコンテンツを、広告主の広告コンテンツとして利用することができる。一方で、個人にとっては、魅力ある広告コンテンツを作成することによって、アクセス数に応じて報酬を得ることもできる。
【００６５】
以下、本発明のビジネス的な効果の点から説明する。
【００６６】
従来、テレビ、ラジオ、新聞、雑誌等のマスメディアを利用した広告は、企業活動やブランド力を強化するために有効な活動であった。しかしながら、近年、その効果は、減退してきている。その理由として、人々の情報媒体が、インターネット、携帯電話機等を利用したものへと変化してきているからである。個人のＢｌｏｇやポッドキャスティング、ＳＮＳ、トラックバック、レス、Ｑ＆Ａなどはコンシューマジェネレイテッドメディア＆コンテンツは、ネットワークを介して、無限の増殖状態になってきている。このような環境下では、マスメディア型広告は機能しない。新しいメディア環境には、新しい広告手法と表現アプローチが必要となる。広告の受信者が、広告の発信者を兼ねるというデュアルな関係も成立する。即ち、広告会社及びテレビ局から消費者へ向かう一方的な流れではなく、開放的でバイラールなコンシューマジェネレイテッドメディア＆広告が誕生する環境が整ってきた。新しいネット環境では、１本数千万円〜数億円もするテレビ広告や、数千億円もかかるテレビ放送局も不要となる。誰でも安価で用意に広告を作り、流すことができる。それは、従来の広告のような厳密な表現様式を問わない。商品への感想、購入者の自慢話、イメージフイルム、雑談、映像クリップなど、広告主にとって、それが、プロモーション効果やブランドイメージ効果、話題性があると判断されれば、広告となる世界である。広告費も極小で済む。
【００６７】
本発明は、人々にコンシューマジェネレイテッドメディア＆広告の世界を開放するツールとなるビジネスモデルである。個人が、通常と異なる新しい表現方法で広告コンテンツを作成し、その広告コンテンツが膨大な人々の反応によって選択され、その広告コンテンツが増殖する。即ち、広告コンテンツを作成したり、その広告コンテンツを閲覧したりタグリンクされること自体が、広告効果となる。
【００６８】
前述した本発明における種々の実施形態によれば、当業者は、本発明の技術思想及び見地の範囲における種々の変更、修正及び省略を容易に行うことができる。前述の説明はあくまで例であって、何ら制約しようとするものではない。本発明は、特許請求の範囲及びその均等物として限定するものにのみ制約される。
【図面の簡単な説明】
【００６９】
【図１】従来技術におけるシステム構成図である。
【図２】本発明における第１のシステム構成図である。
【図３】本発明における第２のシステム構成図である。
【図４】本発明におけるタグ情報の記述例である。
【図５】本発明における広告課金制御サーバの機能構成図である。
【図６】広告コンテンツがブログによって公開された場合のシステム構成図である。
【符号の説明】
【００７０】
１  広告課金制御サーバ
１０１  口座情報蓄積部
１０２  課金リクエスト受信部
１０３  広告課金制御部
２  端末、広告コンテンツ作成者用の端末
３  端末、広告コンテンツ閲覧者用の端末
４  公開サーバ、Ｗｅｂサーバ
５  端末、広告主用の端末
６  広告主サーバ
７  ブログ公開サーバ
【図１】
2008242559.tif 000003
【図２】
2008242559.tif 000004
【図３】
2008242559.tif 000005
【図４】
2008242559.tif 000006
【図５】
2008242559.tif 000007
【図６】
2008242559.tif 000008